(57)【要約】【課題】振子重りで遠心力を持ちいてモーターを回転して鉱石磁石で永久に回転する事が出来てプラスマイナス端子に充電出来てその電源を電気自動車電気製品家庭電力に利用出来る【解決手段】振子発電機の熱を防止する方法として水冷式にする。冷蔵庫方式でもいい。【選択図】図７
2008099537.tif 000002
【特許請求の範囲】
【請求項１】
図１のように（１．３）に鉱石磁石を取り付けて永久に回転をするために取り付けた装置
【請求項２】
図１のように電力を送くるために（５．７．９．１４．１８．２０．）にプラス端子を取り付け（４．６．８．１７．１９．２１）にマイナス端子を取り付けた装置
【請求項３】
発動機を回転するための電力として図１のように（２２）にバッテリー器を取り付けた装置
【請求項４】
図１の電気発動機を回転させるためのスイチとしての（１０．１１．）のプラス接続端子（１２．１３）のマイナス接続端子を取り付けた装置
【請求項５】
図１の電力のエネルギーを充電するための（１５．１６．）に取り付けた充電機の装置
【請求項６】
図２のように（Ｚ１）電力を発電する振子発電機の装置である。図２のように（Ｚ．２．）振子重りをつけた装置である。
【請求項７】
図３のように発電機を保護するためカバーを取り付けた装置である
【請求項８】
図４のように（Ｈ１）前輪タイヤ（Ｈ２）後輪タイヤを取り付けた装置である
【請求項９】
図４のように（Ｈ．４）に前輪差動機（Ｈ．５）に後輪差動機を取り付けた装置である。
【請求項１０】
図４のように電源エネルギーを作くるため（１．２．３．４．５．６．７．８．）のように振子モーター発電機を取り付けた、装置である。
【請求項１１】
図４のように電源エネルギーを溜めるための（Ｈ．６．Ｈ７．Ｈ．８．Ｈ９．Ｈ．１０）の充電機を取り付けた装置である
【請求項１２】
図４のように自動車を動かすための（Ｈ．３．）モーターを取り付けた装置である。
【請求項１３】
図５のように（ＨＨ１）のテレビ画面を取り付けた物である。
【請求項１４】
図５のように電源エネルギーを作くるため（ＨＨ２）１．２．３．４．５．６．７．８．９．１０のように振子モーター発電機を取り付けた装置である。
【請求項１５】
図５のようにテレビ画面を見るための電源としてＨＨ３の電源エネルギーを溜めるための充電機Ａ１Ａ２Ａ３Ａ４Ａ５Ａ６Ａ７Ａ８Ａ９Ａ１０の充電機装置で有る。
【請求項１６】
図５のようにテレビを見るためのスイチ入力で有る。ＨＨ４のスイチ装置である。
【請求項１７】
図５のようにＨＨ３からの電源を溜めるための（ＨＨ５）大型充電機で有る。
【請求項１８】
ＨＨ５の大型充電機の電源が通常より多くなると電流の流れをストップさせるための（ＨＨ６）図５のダンプヒューズの装置で有る
【請求項１９】
図６のように１５．の振子重りを回転させるための（１６）セルモーターバッテリーを取り付けた装置で有る。１１．１２．の配線である。
【請求項２０】
図６のように（１７）の振子モーター発電機が回転し８と９の配線を通じて１８の充電機に充電出来る装置で有る。
【請求項２１】
図６の、１８の充電機がいっぱいになると１３の充電電圧電気メモリが上へアップし７．電圧電気の作動で、５．停止開始接続端子と４．停止ブレーキ端子が接続出来る装置である。
【請求項２２】
図６のように５．と４．が接続したら６の配線を通じて電流が流れ３．の電動ブレーキが作動する装置で有る。
【請求項２３】
３．電動ブレーキに電流が流れると図６の２のブレーキシューズと１のブレーキシューズで１７の振子モーター発電機を停止させる事が出来る装置で有る。
【請求項２４】
図６の図面で１３の充電電圧電気メモリーで電源が少なくなると１０．電圧モーター開始自動調整機で１６の充電機が作動して１７の振子モーター発電機を作動させる装置で有る
【請求項２５】
振子モーターを停止させるための図６の１．２．のブレーキシューズの装置で有る。
【請求項２６】
１
図７の１は振子発電機の本体の装置で有る
【請求項２７】
図７の２は立体テレビ本体の装置である。
【請求項２８】
図７の４．にラジエターを取り付けた装置である。
【請求項２９】
図７の配水をラジエター送る配水ホースで有る
【請求項３０】
図７のラジエターの水を冷すために取り付けたフアンで熱を冷すために取り付けた水冷式装置で有る
【請求項３１】
図８の１．２．３．４．５．６．７．８．９．１０．１１．１２．１３．１４．１５．は上下左右奥行きに画像が信号運動さして画像を立体的に見えるように取り付けたカラー画像輝点装置で有る。
【請求項３２】
図８の１６は立体ブラン管本体の装置である。
【請求項３３】
図８の１７、１８、は最初から個定された位置にあり電磁波信号運動によりカラー画像輝点から光りを出し上下左右奥行に信号運動が出来て立体的に光りを出すカラー画像輝点軸の装置で有る。
【発明の詳細な説明】
【発明の詳細な説明】
【技術分野】
【０００１】本発明は振子重りで遠心力を持ちいって回転し電気を発電し永久に回転しその電力を自動車テレビ立体テレビ電気製品に応用しその製造方法に関する。
【背景技術】
【０００２】従来の永久モーターはただ回転しその力がない物で有る
【発明が解決しょうとする課題】
【０００３】従来の発電機は何かの物で発電しなくてはならない問題点が有った。自力で発電は出来ない物だった
【課題を解決するための手段】
【０００４】  その問題点を解決するために本発明は鉱石磁石を取り付けて１回発動機に電流を流し回転させ振子重りを取り付けてその回転力に力をあたえて電気を自力の力で作くってそれを自動車テレビ電気製品家庭電力などに使用出来る手段で有る
【発明を実施するための最良の形態】
【０００５】鉱石磁石を取り付けて永久に回転するため取り付けた物で有る。【０００６】発動機を回転させるための電力としてバッテリー器を取り付け電力を送くるためにプラスマイナス端子を取り付けた物で有る。【０００７】電動機を回転させるためのスイチとしてプラス．マイナス接続端子を取り付けた物である。【０００８】電力の力を強力にするために振子重りをつけて発電機の電力エネルギーを充電するための充電機装置を取り付けた物で有る。【０００９】振子発電機の外側を守るために向けたカバーで有る。【００１０】自動車を動かすために取り付けた前輪後輪タイヤを取り付けた物で有る。【００１１】前輪後輪タイヤを差動するために取り付けた、前輪差動機後輪差動機の装置で有る。【００１２】電気自動車の電源エネルギーを作くるため振子モーター発電機を取り付けた装置で有る。【００１３】電源エネルギーを溜めるための充電機を取り付けた装置で有る。【００１４】電気自動車を動かすためのモーターを取り付けた装置である。【００１５】図５のようにテレビ画面を取り付けた物で有る。【００１６】テレビ電源エネルギーを作くるための振子モーター発電機を取り付けた装置で有る。【００１７】テレビ画面を見るための電源エネルギーを溜めるための充電機を取り付けた装置で有る。【００１８】テレビを見るためＯＦＦ  ＯＮのスイチ装置を取り付けた物で有る。【００１９】電源を余裕に溜めるための大型充電機で有る。【００２０】大型充電機の電源が通常より多くなると電流の流れをストップさせるためのダンプヒューズで有る【００２１】図６のように振子重りを回転させるためのセルモーターバッテリーを取り付けた装置で有る。【００２２】振子発電機が回転して配線を通じて充電機に充電する装置で有る。【００２３】充電機の電気エネルギーがいっぱいになると充電電圧電気メモリーが上にアップし電圧電気の作動で停止開始接続端子と停止ブレーキ端子が接続出来る装置を取り付けた物で有る。【００２４】停止開始接続端子と停止ブレーキ端子が接続したら配線を通じて電流が流れ電動ブレーキが作動する装置を取り付けた物である【００２５】電動ブレーキに電流が流れると上のブレーキシューズと下のブレーキシューズと接触して振子モーター発電機を停止させる事が出来る装置を取り付けた物で有る【００２６】図６のように充電電圧電気メモリーで電源エネルギーが少なくなると電圧モーター開始自動調整機で充電機が作動して振り子モーター発電機を作動させる装置を取り付けた物で有る【００２７】振子モーター発電機を停止させるためのブレーキシューズの装置である。【００２８】画像が上下左右奥行きに信号運動をさせ立体的に見えるように光りを出す。立体カラー画像輝点装置で有る。【００２９】最初から個定された位置に有り画像輝点装置で電磁波信号運動によりカラー画像輝点から光りを出し上下左右奥行きに信号運動が出来て立体的に光りを出すカラー画像輝点軸の装置を取り付けた物で有る。【００３０】立体テレビの電源エネルギーは振子発電機本体から使用する装置で有る振子発電機の熱をラジエターとフアンを取り付けた水冷式装置である。
【実施例】
【００３１】実施例について図面を参照して説明すると図１のように１．３に鉱石磁石を取り付けて（５．７．９．１４．１８．２０．）にプラス端子を取り付けて充電する。
（４．６．８．１７．１９．２１）にマイナス端子を取り付けて充電する
発電機を回転させるための電力として（２２）にバッテリー器を取り付け電気発動機を回転させるためのスイチとして（１０．１１．）のプラス接続端子（１２．１３．）のマイナス接続端子を取り付け電力エネルギーを充電するために取り付けた充電機装置【００３２】図２に示される実施例では電力を発電する振子発電機は（Ｚ２）振子重りをつけて１０個以上の数で発電する装置を取り付けている。【００３３】図７と図３に示される実施例では外回りに発電機を保護するためにカバーを取り付けている。【００３４】図４に示される実施例では（Ｈ１）前輪タイヤ（Ｈ２）に後輪タイヤを取り付け（Ｈ４）に前輪差動機（Ｈ５）に後輪差動機を取り付け電源エネルギーを作くるため（１．２．３．４．５．６．７．８）に振子モーター発電機を取り付け電源エネルギーを溜めるための充電機（Ｈ６．Ｈ７．Ｈ８．Ｈ９．Ｈ１０．）を取り付け自動車を動す（Ｈ３）モーターを取り付けた装置で有る。【００３５】図５に示されている実施例では（ＨＨ１）のテレビ画面を取り付けテレビ画面の電気エネルギーを作くるため（ＨＨ２）（１．２．３．４．５．６．７．８．９．１０）のように振子モーター発電機を取り付けた装置で有る。テレビ画面を見るための電源として（ＨＨ３）の電源エネルギーを溜めるための充電機
Ａ１．Ａ２．Ａ３．Ａ４．Ａ５．Ａ６．Ａ７．Ａ８．Ａ９．Ａ１０．の充電機装置を取り付けテレビを見るためのスイチ（ＨＨ４）の装置を取り付け（ＨＨ３）からの電源を溜めるための（ＨＨ５）大型充電機を取り付け（ＨＨ５）の大型充電機の電源が通常より多くなると電流の流れをストップさせるための（ＨＨ６）ダンプヒューズの装置を取り付ける。【００３６】図６に示されている実施例では１５の振子重りを回転させるため（１６）セルモーターバッテリーを取り付け１１．１２．の配線を利用する。
（１７）の振子モーター発電機が回転し鉱石磁石で回転し８．９．の配線を通じて、１８の充電機に充電出来る。１８の充電機がいっぱいになると１３．の充電電圧メモリーが上へアップし７．電圧空気の作動で５．停止開始接続端子と４．停止ブレーキ端子が接続出来るようにする。５．４．が接続したら６．の配線を通じて電流が流れ３、の電動ブレーキが作動し２、のブレーキシューズと１のブレーキシューズで１７の振子モーター発電機を停止させる事が出来る。
１３．の充電電圧電気メモリーで電源が少なくなると１０．電圧モーター開始自動調整機で１６の充電機が作動して１７．の振子モーター発電機を作動させる装置で有る
振子モーターを停止させる時は１．２．のブレーキシューズで有る。【００３７】図７は立体テレビの画面でその電源を使う振子発電機が内臓された装置である。図７に取り付けて有る、ラジエターをフアンで振子発電機の熱を冷す水冷式装置で有る。【００３８】図８に示されている実施例では１６、は立体ブラン管本体の装置で１７、１８、は最初から個定された位置に取り付けて有り個定位置から電磁波信号運動によりカラー画像が輝点から光りを出し上下左右奥行に信号運動し立体的に光りを出すカラー画像輝点軸の装置を取り付け
１、２、３、４、５、６、７、８、９、１０、１１、１２、１３、１４、１５は上下左右奥行きに画像が信号運動し画像を立体的に見えるように取り付けたカラー画像輝点装置を取り付ける。
この電源は図７の振子発電機で有る。
【発明の効果】
【００３９】本発明は以上説明したような形態で実施され以下に記載されるような効果を奏する。
【００４０】鉱石磁石を取り付けるにおいて永久にモーターを回転する事が出来る。
【００４１】電気発動機を回転させるためスイチを取り付けて発動機を回転するバテリー器の電力で回転し鉱石磁石で回転しプラス．マイナス端子から電源エネルギーが充電出来る。
【００４２】振子重りでモーターを回転し永久に回転出来て重りの重さで強力な力を発揮出来る。
【００４３】振子重り発電機で電源を充電出来てその電源でモーターを回転し前輪後輪タイヤが前輪後輪差動機で回転し動く電気自動車である。
【００４４】図５の振子モーター発電機数個の電源エネルギーでテレビ画面を見る事が出来て大型充電機の電源が通常より多くなると電流の流れを一時ダンプヒユーズでストップさせる事が出来る。
【００４５】図６振子重りモーター発電機にセルモーターバッテリーに電源が流れると回転し充電機に充電が入って充電気がいっぱいになると充電電圧電気メモリーが上へアップし電圧電気の作動で停止開始接続端子と停止ブレーキ端子が接続し上のブレーキシューズと下のブレーキシューズで発電機を停止する事が出来る。
【００４６】図６、充電電圧電気メモリーで電源が少なくなると電圧モーター開始自動調整機計で１６の充電機が自動的に作動し振子モーター発電機に電流が流れ一時停止した振子発電機を作動出来る。
【００４７】立体ブラウン管の中に画像輝点軸をもうけ左右上下奥行きに画像輝点を取り付け画面から画像が信号運動し立体的に見える。ただし立体テレビの電源エネルギーは振子発電機を使用する。
【００４８】立体テレビの画面でその電源を使う振子発電機が内臓された物は熱を冷す方法として水冷式が良い
【図面の簡単な説明】
【図１】電動発電気モーターの構造をわかりやすく説明した図面である。
【図２】振子重りをつけた振子発電機の図面である。
【図３】発電機カバーを取り付けた図面である。
【図４】振子発電機モーターを利用して動く電気自動車の図面である。
【図５】振子発電機モーターを利用して見るテレビの図面である。
【図６】振子発電機を停止させる図面である
【図７】立体テレビと振子発電機の水冷式の図面である。
【図８】立体テレビの図面である。
【符号の説明】
１  鉱石磁石＋−
２  回転軸
３  鉱石磁石プラス＋
３  鉱石〃〃マイナス−
４  マイナス端子
５  プラス  〃
６  マイナス〃
７  プラス  〃
８  マイナス〃
９  プラス  〃
１０  プラス接続端子
１１  プラス  〃
１２  マイナス〃
１
１３  マイナス接続端子
１４  プラス端子
１５  充電器
１６  充電器
１７  マイナス端子
１８  プラス端子
１９  マイナス端子
２０  プラス  〃
２１  マイナス〃
２２  バッテリー器
２３  鉱石磁石プラス＋
２４  鉱石磁石マイナス−
２５  鉱石磁石プラス＋
２６  鉱石磁石マイナス−
2008099537.tif 000003
2008099537.tif 000004
2008099537.tif 000005
2008099537.tif 000006
【図１】
2008099537.tif 000007
【図２】
2008099537.tif 000008
【図３】
2008099537.tif 000009
【図４】
2008099537.tif 000010
【図５】
2008099537.tif 000011
【図６】
2008099537.tif 000012
【図７】
2008099537.tif 000013
【図８】
2008099537.tif 000014